(57)【要約】【課題】防水シートの貼替えや、防水シート下部の点検を、防水シートと壁面部との間の厄介なシーリング工事をせずに容易に行うことができる床面シート防水における立ち上がり部分の構造と床面防水シートの貼替え方法を提供する。【解決手段】構造については、床面２部に敷かれた防水シート１が、壁面部３，４に沿って立ち上がる部分１ａを備え、該立ち上がる部分１ａの上縁部が壁面部に対し背面側への水の侵入を阻止するようシーリングされた床面シート防水における立ち上がり部分の構造を前提とし、防水シート１の立ち上がり部分１ａが、その高さ方向中間部において上下に分割され、上立ち上がり部分１ｂと下立ち上がり部分１ｃとが、それらの間から背面側への水の侵入を阻止する態様において着脱可能にジョイントされている。【選択図】      図１
2005016137.tif 000002
【特許請求の範囲】
【請求項１】
床面部に敷かれた防水シートが、壁面部に沿って立ち上がる部分を備え、該立ち上がる部分の上縁部が壁面部に対し背面側への水の侵入を阻止するようシーリングされた床面シート防水における立ち上がり部分の構造において、
前記防水シートの立ち上がり部分が、その高さ方向中間部において上下に分割され、上立ち上がり部分と下立ち上がり部分とが、それらの間から背面側への水の侵入を阻止する態様において着脱可能にジョイントされていることを特徴とする床面シート防水における立ち上がり部分の構造。
【請求項２】
前記上立ち上がり部分と下立ち上がり部分とがスライド開閉式の防水ファスナーで着脱可能にジョイントされている請求項１に記載の床面シート防水における立ち上がり部分の構造。
【請求項３】
床面部に敷かれた防水シートが、壁面部に沿って立ち上がる部分を備え、該立ち上がる部分の上縁部が壁面部に対し背面側への水の侵入を阻止するようシーリングされた床面シート防水構造における床面防水シートの貼替え方法であって、
前記防水シートの立ち上がり部分を、その高さ方向中間部において上下に分割し、下立ち上がり部分を含む床面側の防水シートを撤去したのち、新たな防水シートを床面側に敷き、新たな防水シートにおける壁面側の立ち上がり部分を前記上立ち上がり部分にそれらの間から背面側への水の侵入を阻止する態様においてジョイントすることを特徴とする床面防水シートの貼替え方法。
【発明の詳細な説明】
【０００１】
【発明の属する技術分野】
本発明は、床面シート防水における立ち上がり部分の構造に関する。
【０００２】
【従来の技術】
例えばバルコニーにおいて、その床面の防水をシート防水で行う場合、床面部に敷いた防水シートを、壁面部、例えば手摺り壁や建物の外壁に沿って所定の高さ寸法立ち上げ、該立ち上がり部分の上縁部を壁面部に対し背面側への水の侵入を阻止するようシーリングをすることが行われる。
【０００３】
【発明が解決しようとする課題】
しかしながら、壁面部に対する防水シート上縁部のシーリングの施工は、例えば、壁面部に溝部を形成し、そこに防水シートの上縁部を差し込み、金具で抑え、溝部を湿式でシーリングする、などというように非常に厄介であり、そのため、防水シートの貼替えや、防水シート下部の点検が必要な場合に、上記のシーリングの処理をもう一度やり直さなければならず、手間を要すると共にコストも高くつくという問題があった。
【０００４】
本発明は、上記のような従来の問題点に鑑み、防水シートの貼替えや、防水シート下部の点検を、防水シートと壁面部との間の厄介なシーリング工事をせずに容易に行うことができる床面シート防水における立ち上がり部分の構造等を提供することを課題とする。
【０００５】
【課題を解決するための手段】
上記の課題は、床面部に敷かれた防水シートが、壁面部に沿って立ち上がる部分を備え、該立ち上がる部分の上縁部が壁面部に対し背面側への水の侵入を阻止するようシーリングされた床面シート防水における立ち上がり部分の構造において、
前記防水シートの立ち上がり部分が、その高さ方向中間部において上下に分割され、上立ち上がり部分と下立ち上がり部分とが、それらの間から背面側への水の侵入を阻止する態様において着脱可能にジョイントされていることを特徴とする床面シート防水における立ち上がり部分の構造によって解決される。
【０００６】
この構造では、防水シートの貼替えを行う場合は、防水シートの壁面部側の下立ち上がり部分と上立ち上がり部分とのジョイントを解除して、下立ち上がり部分を含む床面側防水シートを撤去する一方、上立ち上がり部分は撤去することなくそのまま存置し、しかる後、新たな防水シートを床面に敷き、その下立ち上がり部分を、上記の上立ち上がり部分とジョイントするだけで、防水シートの貼替えを終えることができる。
【０００７】
また、防水シート下部の点検を行う場合は、同じく、防水シートの壁面部側の下立ち上がり部分と上立ち上がり部分とのジョイントを解除し、下立ち上がり部分を含む床面側防水シートを床面から離して点検を行い、しかる後、上記の防水シートを床面に敷き直し、その下立ち上がり部分を、上記の上立ち上がり部分とジョイントするだけで、防水シート下部の点検を終えることができる。
【０００８】
このように、上記の構造によれば、防水シートの貼替えや、防水シート下部の点検を、防水シートと壁面部との間の厄介なシーリング工事をせずに容易に行うことができる。
【０００９】
前記上立ち上がり部分と下立ち上がり部分とがスライド開閉式の防水ファスナーで着脱可能にジョイントされている場合は、上立ち上がり部分と下立ち上がり部分の着脱を容易に行うことができると共に、それらの間をしっかりとした止水状態にすることができる。
【００１０】
また、本発明は、床面部に敷かれた防水シートが、壁面部に沿って立ち上がる部分を備え、該立ち上がる部分の上縁部が壁面部に対し背面側への水の侵入を阻止するようシーリングされた床面シート防水構造における床面防水シートの貼替え方法であって、
前記防水シートの立ち上がり部分を、その高さ方向中間部において上下に分割し、下立ち上がり部分を含む床面側の防水シートを撤去したのち、新たな防水シートを床面側に敷き、新たな防水シートにおける壁面側の立ち上がり部分を前記上立ち上がり部分にそれらの間から背面側への水の侵入を阻止する態様においてジョイントすることを特徴とする床面防水シートの貼替え方法も内容とする。
【００１１】
この方法においても、床面側の防水シートの貼替えを、撤去する防水シートの立ち上がり部分を上下に分割し、新たな防水シートの立ち上がり部分を、撤去した防水シートの上立ち上がり部分にジョイントするだけで行うことができ、防水シートと壁面部との間の厄介なシーリング工事を排除することができて、床面側の防水シートの貼替えを容易に行っていくことができる。
【００１２】
【発明の実施の形態】
次に、本発明の実施形態を図面に基づいて説明する。
【００１３】
図１（イ）に示す第１実施形態の構造は、バルコニーの床面のシート防水に適用したもので、防水シート１は、バルコニーの床面部２に敷かれ、該シート１の一方の側は、図１（ロ）に示すように、手摺り壁３に沿って立ち上がり、この立ち上がり部分１ａの上縁部が、該手摺り壁３に設けられた溝部４内に差し込まれると共に、図示しない金具で抑えられ、溝部４内には湿式シーリング材５が取り付けられて、防水シート１と手摺り壁３との間がシーリングされている。
【００１４】
また、防水シート１のもう一方の側も同様に、図１（ハ）に示すように、建物開口部の下サッシ枠６の下方の壁部７に沿って立ち上がり、この立ち上がり部分１ａの上縁部が、下サッシ枠６と下方の壁部７との間に備えられた溝部４内に差し込まれ、溝部４内には、防水シート１と下サッシ枠６側の壁部との間をシーリングする湿式シーリング材５が取り付けられ、防水シート１と該壁部７との間がシーリングされている。
【００１５】
そして、防水シート１の各側の立ち上がり部分１ａ，１ａはそれぞれ、図２に示すように、その高さ方向中間部において上立ち上がり部分１ｂと下立ち上がり部分１ｃとに上下に分割され、上立ち上がり部分１ｂと下立ち上がり部分１ｃとは、ジョイント手段としてのスライド開閉式防水ファスナー８ａ，８ｂによって、それらの間から背面側への水の侵入を阻止する態様において着脱可能にジョイントされている。なお、防水ファスナー８ａ，８ｂとしては、潜水服などに用いられるジッパータイプの防水ファスナーが用いられてよい。
【００１６】
上記の防水シート１の施工は、図３に示すように、例えば、防水シート１から分離させた上立ち上がり部分１ｂ，１ｂの上縁部を手摺り壁３と下サッシ枠６側とにシーリング状態に取り付け、下立ち上がり部分１ｃ，１ｃを含む防水シート１を、床面部２に敷き、そして、上下の立ち上がり部分１ｂ，１ｃ同士を防水ファスナー８ａ，８ｂでジョイントするというように行うのもよい。あるいは、防水ファスナー８ａ，８ｂで上立ち上がり部分１ｂ，１ｂをジョイントした防水シート１を用い、これを床面部２に敷き、しかる後、上立ち上がり部分１ｂ，１ｂの上縁部を手摺り壁３と下サッシ枠６側とにシーリング状態に取り付けるというようにしてもよい。
【００１７】
こうして床面部２側がシート防水されたバルコニーにおいて、防水シート１の貼替えを行う場合は、防水ファスナー８ａ，８ｂを開くことで、防水シート１の壁面部側の下立ち上がり部分１ｃと上立ち上がり部分１ｂとのジョイントを解除し、そして、図４（イ−１）に示すように、下立ち上がり部分１ｃ，１ｃを含む床面側防水シート１を撤去する一方、図４（イ−２）（イ−３）に示すように、上立ち上がり部分１ｂ，１ｂは撤去することなくそのまま存置し、しかる後、図５（ロ）（ハ）に示すように、新たな防水シート１を床面に敷き、その下立ち上がり部分１ｃ，１ｃを、上記の上立ち上がり部分１ｂ，１ｂとジョイントするだけで、防水シート１の貼替えを終えることができる。
【００１８】
また、防水シート１の下部点検を行う場合は、同じく、防水シート１の壁面部側の下立ち上がり部分１ｃ，１ｃと上立ち上がり部分１ｂ，１ｂとのジョイントを解除し、下立ち上がり部分１ｃを含む床面側防水シートを床面部２から離して点検を行い、しかる後、上記の防水シート１を床面部２に敷き直し、その下立ち上がり部分１ｃ，１ｃを、上立ち上がり部分１ｂ，１ｂとジョイントするだけで、防水シート下部の点検を終えることができる。
【００１９】
このように、上記の構造によれば、防水シート１の貼替えや、防水シート１の下部点検を、防水シート１と壁面部３，７との間の厄介なシーリング工事をせずに容易に行っていくことができる。
【００２０】
しかも、上記のジョイント部分は、床面部２側にではなく、壁部３，７側に備えられるので、ジョイント部分が踏圧等で損傷するおそれもなく、しっかりとした防水状態を維持することができる。
【００２１】
図６（イ）に示す第２実施形態は、図６（ロ）に示すように、防水シート１の手摺り壁３側の立ち上がり部分１ａのみが、その高さ方向中間部において上立ち上がり部分１ｂと下立ち上がり部分１ｃとに上下に分割され、スライド開閉式の防水ファスナー８ａ，８ｂによって着脱可能にジョイントされているが、図６（ハ）に示すように、防水シート１の下サッシ枠６側の立ち上がり部分１ａは分割されておらず、床面２側からの防水シート１が、着脱可能なジョイント部分を介さずに下サッシ枠６側の壁部７にシーリングされている。
【００２２】
この構造であっても、防水シート１の貼替えや下部の点検において、少なくとも、手摺り壁３に対する防水シート１のシーリング工事はなくすことができ、その分、防水シート１の貼替えや防水シート１の下部点検を、防水シート１と壁面部３，７との間の厄介なシーリング工事をせずに容易に行っていくことができる。
【００２３】
以上に、本発明の実施形態を示したが、本発明はこれに限られるものではなく、発明思想を逸脱しない範囲で各種の変更が可能である。例えば、上記の実施形態では、防水シート１の上立ち上がり部分１ｂの上縁部と壁面部とのシーリングを壁面部に溝部４を設け、溝部４に上立ち上がり部分１ｂの上縁部を差し込み、金具で抑え、溝部４に湿式のシーリング材を設置してシーリングを行った場合を示しているが、これに限られるものではなく、例えば、手摺り壁３がＰＣ板からなる場合には、型枠へのコンクリートの打込みにおいて、上立ち上がり部分１ｂの上縁部相当側をコンクリート中に埋込み状態にし、その状態でコンクリートを養生硬化する等の方法で、壁面部にシーリングされたものであってもよく、各種方法でシーリングされてよい。
【００２４】
また、防水シート１の上下の立ち上がり部分１ｂ，１ｃのジョイント手段は、スライド開閉式の防水ファスナー８ａ，８ｂに限られず、その他、上下の立ち上がり部分をジョイント部分において重なり状態にし、重なり部分が面ファスナーで接着されるようなジョイント手段などであってもよく、要は、上下の立ち上がり部分１ｂ，１ｃを着脱可能でかつ防水状態にジョイントすることができるものであればよい。また、上記の実施形態では、バルコニー床面２のシート防水の場合を示しているが、バルコニーに限らず、屋上などであってもよいし、要は、周囲に立ち上がり壁部を備えた防水必要の各種床面に広く用いることができるものである。
【００２５】
更に、本発明の床面防水シートの貼替え方法の一態様は、上記の実施形態により示されているが、これに限らず、その他、例えば、貼り替えようとする古い防水シートの立ち上がり部分は、その高さ方向中間部において着脱可能に分割されておらずに着脱不能の例えば一体物からなっていてもよく、その場合には、防水シートの立ち上がり部分をその高さ方向中間部においてカッターで切断等して分割するようにしてもよい。
【００２６】
また、貼り替えられた新たな防水シートの立ち上がり部分は、上立ち上がり部分と着脱可能にジョイントされてもよいし、その他、熱融着等により着脱不能にジョイントされてもよい。
【００２７】
【発明の効果】
本発明は、以上のとおりのものであるから、防水シートの貼替えや、防水シート下部の点検を、防水シートと壁面部との間の厄介なシーリング工事をせずに容易に行うことができる。
【図面の簡単な説明】
【図１】第１実施形態を示すもので、図（イ）はバルコニーの床面の全体を示す断面図、図（ロ）は手摺り壁側を拡大して示す断面図、図（ハ）は下サッシ枠側を拡大して示す断面図である。
【図２】上立ち上がり部分を分離させた防水シート全体の断面図である。
【図３】防水シートの施工方法の一例を示す断面図である。
【図４】図（イ−１）乃至図（イ−３）は、図５とともに防水シートの貼替え方法を示す断面図である。
【図５】図（ロ）及び図（ハ）は、図４と共に防水シートの貼替え方法を示す断面図である。
【図６】第２実施形態を示すもので、図（イ）はバルコニーの床面の全体を示す断面図、図（ロ）は手摺り壁側を拡大して示す断面図、図（ハ）は下サッシ枠側を拡大して示す断面図である。
【符号の説明】
１…防水シート
１ｂ…上立ち上がり部分
１ｃ…下立ち上がり部分
２…床面部
３…手摺り壁（壁面部）
７…下壁（壁面部）
８ａ，８ｂ…防水ファスナー（ジョイント手段）
【図１】
2005016137.tif 000003
【図２】
2005016137.tif 000004
【図３】
2005016137.tif 000005
【図４】
2005016137.tif 000006
【図５】
2005016137.tif 000007
【図６】
2005016137.tif 000008